(57)【要約】【課題】歯科アシスタントが、椅子に腰掛けるとき、姿勢が多少悪くても、椅子が後ろに逃げて（移動）しまうようなことがないようにする。【解決手段】歯科アシスタント用椅子２０は、キャスタ２４（２４１〜２４５）を具備し、これらキャスタ２４（２４１〜２４５），又は、前方のキャスタ２４１，２４２，２４３は荷重がかかった時にロックされる。座部２１が回転式の時は、全てのキャスタ２４１〜２４５をロック機構付きにし、座部２１が非回転式の時は、前方の３個のキャスタ２４１〜２４３をキャスタ付きとすることで、斜め前方から浅く腰掛けてしまうような時でも、椅子２０が後ろに移動してしまうようなことはなく、アシスタントは安心して、安全に椅子に腰掛けることができる。【選択図】　　　　図１
2004113620.tif 000002
【特許請求の範囲】
【請求項１】
キャスタを具備し、該キャスタは荷重がかかった時にロックされることを特徴とする歯科アシスタント用椅子。
【請求項２】
背凭れ部を有する非回転の座部と、５個のキャスタを具備し、前記５個のキャスタのうち前３個のキャスタは荷重がかかった時にロックされることを特徴とする歯科アシスタント用椅子。
【発明の詳細な説明】
【０００１】
【発明の属する技術分野】
本発明は、歯科アシスタント用椅子、より詳細には、歯科治療において、頻繁に立ち座りするアシスタントが安全に使用することのできる歯科アシスタント用椅子に関する。
【０００２】
【従来の技術】
図３は、歯科治療ユニットの一例を説明するための要部概略構成図で、図中、１０は歯科治療ユニットで、該ユニット１０は、治療椅子１，ワークテーブル２，スピットン３，給排ボックス４，インスツルメントホルダ５，フットスイッチ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
歯科治療中、術者（ドクター）は、術者用の椅子（通常、キャスタ付）に腰掛けて治療作業を行うが、アシスタントは、アシスタント用の椅子（通常、キャスタ付）に、腰掛けたり、立ち上ったりして、口腔内を清掃したり、術者が施術しやすいように照明の位置を調整したり等、術者の作業を補助する。
【０００４】
【発明が解決しようとする課題】
しかし、アシスタントは、作業の性質上、頻繁に椅子に座ったり、椅子から立ち上ったりして作業しなければならないが、特に、キャスタ付の椅子の場合、椅子に座る時に、浅く座ってしまうと、椅子を後ろに移動させる力が働き、椅子が後ろに逃げてしまうことがあり、非常に危険であった。
【０００５】
本発明は、上述のごとき実情に鑑みてなされたもので、特に、歯科治療において、アシスタントが椅子に腰掛けた時は、その荷重（体重）によってキャスタがロックされるようにし、もって、椅子に浅く掛けた時でも、椅子が後ろに逃げないようにして、アシスタントの安全を図ることを目的としてなされたものである。
【０００６】
【課題を解決するための手段】
請求項１の発明は、キャスタを具備し、該キャスタは荷重がかかった時にロックされることを特徴とする。
【０００７】
請求項２の発明は、背凭れ部を有する非回転の座部と、５個のキャスタを具備し、前記５個のキャスタのうち前３個のキャスタは荷重がかかった時にロックされることを特徴としたものである。
【０００８】
【発明の実施の形態】
図１，図２は、本発明による歯科アシスタント用椅子を説明するための図で、図１は正面図、図２は横方向から見た斜視図を示し、周知のように、アシスタント用椅子２０は、座部２１，背凭れ部２２（必ずしも必要としない），フットレストリング２３，キャスタ２４、を具備し、一般的には、底部に５個のキャスタ２４（２４１〜２４５）を具備し、該キャスタ２４により、アシスタント用椅子２０に腰掛けたままの状態で、アシスタント用椅子２０ごと自由に移動できるようになっている。
【０００９】
しかし、歯科治療において、アシスタントは頻繁にアシスタント用椅子２０に腰掛けたり、椅子から立ち上って作業しなければならず、ついつい椅子の位置を十分に確認することなく腰掛けようとすることがある。その時、椅子の位置が予想外に後ろ側にあると、椅子の前方に腰を降してしまい（つまり、椅子に浅く腰掛けてしまい）、しかも、その際、腰を真っすぐ上から降すのではなく、椅子の前のほうから後ろに向かって降す場合が多く、椅子が後ろに移動してしまうことがあり、非常に危険であった。
【００１０】
本発明は、上述のごとき危険を回避するためになされたもので、キャスタ２４に、荷重がかかった時に、該キャスタの回転をロックするロック機構を設けておき、椅子に腰掛ける時に、前述のごとき、椅子が後ろに移動してしまうというような危険がないようにしたものである。
なお、ロック機構を備えたキャスタは周知であり、例えば、回転車（キャスタ）の内側全周ににわたって凹凸を設けておき、荷重がかかった時に径方向に移動するロックピンがその凹部に挿入して回転車の回転をロックし、荷重を解除した時に前記ロックピンが前記凹部から離脱して前記回転車の回転をフリーにするものが市販されている。
【００１１】
勿論、このようなロック機構を備えたキャスタを使用すると、椅子に腰掛けたままの状態で、椅子を移動させることはできないが、歯科アシスタントの場合、ドクターと違って、椅子に腰掛けたままの状態で移動しながら作業することはほとんどなく、上述のように、キャスタにロック機構を設けてもほとんど支障はない。しかし、立ち作業の時、椅子が邪魔になる時があり、このような場合、椅子を作業の邪魔にならない位置に寄せておく必要があり、また、その作業が頻繁に行われるため、キャスタは必要である。
【００１２】
なお、以上には、座部２１が回転可能で、全てのキャスタがロック機構を備えている場合を例にして説明したが、座部２１を回転不可にしておけば、前方のキャスタ１乃至３個をロック機構付きにしておけば十分である。この場合には、背凭れ部２２を必要とし、この背凭れ部２２を基準にして前方の１乃至３個のキャスタをロック機構付きとする。最近のキャスタ付きの椅子は、そのほとんどがキャスタを５個のキャスタを使用しており、この場合、前方の３個のキャスタをロック機構付きにしておけば、多少、斜め前方から腰掛けても、いずれかのキャスタがロックされるので、椅子の移動を完全に抑えることができる。
【００１３】
【発明の効果】
以上の説明から明らかなように、本発明によると、歯科アシスタントは、椅子に腰掛ける時の姿勢が多少悪くても、例えば、椅子の前方に浅く腰掛けてしまうようなことがあっても、キャスタがロックされてしまうので、椅子が後ろに逃げて（移動）しまうようなことはなく、アシスタントは、安心して、安全にアシスタント用椅子に腰掛けることができる。
【図面の簡単な説明】
【図１】本発明による歯科アシスタント用椅子の一例を示す正面図である。
【図２】本発明による歯科アシスタント用椅子の一例を示す斜視図である。
【図３】歯科治療ユニットの一例を説明するための図である。
【符号の説明】
１…治療椅子、２…ワークテーブル、３…スピットン、４…給排ボックス、５…インスツルメントホルダ、６…フットスイッチ、７…アシスタントインスツルメントホルダ、８…インスツルメント、９…安頭台、１０…歯科治療ユニット、２０…アシスタント用椅子、２１…座部、２２…背凭れ部、２３…フットレストリング、２４（２４１〜２４５）…キャスタ。
【図１】
2004113620.tif 000003
【図２】
2004113620.tif 000004
【図３】
2004113620.tif 000005